(57)【特許請求の範囲】
【請求項１】
印刷の対象となるデータとともに印刷の要求を受信する受信手段と、
当該受信手段により受信された印刷の要求に係る印刷物を受け取るべき利用者の位置を検知する検知手段と、
当該検知手段により検知された利用者の位置に基づいて、前記利用者が自己の近辺にいるか否かを予め定められた判断基準に従って判断し、近辺にいないと判断された場合には印刷を保留し、近辺にいると判断された場合には印刷を開始する指示を出力する制御手段と、
当該制御手段による印刷を開始する指示により、前記受信手段により受信されたデータに基づく画像の印刷を開始する印刷手段と、
を有することを特徴とする印刷装置。
【請求項２】
請求項１に記載の印刷装置において、
前記制御手段は、前記利用者の位置と自己の位置との相対距離を算出し、算出された相対距離が予め設定された範囲内か否かを判断し、範囲内でないと判断された場合には印刷を保留し、範囲内であると判断された場合には印刷を開始する指示を出力することを特徴とする印刷装置。
【請求項３】
請求項１又は２に記載の印刷装置において、
前記制御手段は、前記印刷の対象となるデータとして画像の基となるデータを受け、印刷を保留する場合には、前記データに基づいて画像を事前に形成して保持し、
前記印刷手段は、前記印刷を開始する指示を受けると、前記保持されている画像を印刷することを特徴とする印刷装置。
【請求項４】
利用者に所持される情報端末と、印刷装置とを含む印刷システムであって、
前記情報端末は、印刷の対象となるデータとともに印刷の要求を通信回線経由で前記印刷装置に送信する手段を具備し、
前記印刷装置は、
前記情報端末から印刷の対象となるデータとともに印刷の要求を受信する受信手段と、
当該受信手段により受信された要求の発行元の情報端末の位置を検知する検知手段と、
当該検知手段の検知結果に基づいて、前記要求の発行元の情報端末が自己の近辺にいるか否かを予め定められた判断基準に従って判断し、近辺にいないと判断された場合には印刷を保留し、近辺にいると判断された場合には印刷を開始する指示を出力する制御手段と、
当該制御手段による印刷を開始する指示により、前記受信手段により受信されたデータに基づく画像の印刷を開始する印刷手段と、を具備する、
ことを特徴とする印刷システム。
【請求項５】
請求項４に記載の印刷システムにおいて、
前記情報端末は、定期的に自己の位置を報知し、
前記印刷装置は、前記情報端末による報知に基づいて前記情報端末の位置を検知することを特徴とする印刷システム。
【請求項６】
請求項４又は５に記載の印刷システムにおいて、
前記情報端末がさらに、指示により即時印刷可能属性を前記印刷装置に送信する手段を具備し、
前記印刷装置は、前記情報端末から即時印刷可能属性を受信すると、直ちに画像の印刷を開始することを特徴とする印刷システム。
【請求項７】
請求項４から６のいずれかに記載の印刷システムにおいて、
前記情報端末が自己の位置をＧＰＳにより検知することを特徴とする印刷システム。
【発明の詳細な説明】
【０００１】
【発明の属する技術分野】
本発明は、プリンタ及びＦＡＸを含む印刷装置及び印刷システムに係り、特に印刷された画像の不正使用防止の改善に関する。
【０００２】
【従来の技術】
近年、ネットワーク技術の発展により、共有されているプリンタに対し、各利用者が遠隔地から印刷の要求を出して、印刷させることができるようになっている。ここで利用者は、ＰＨＳ等に接続された情報端末から印刷の指示を出力することで、無線通信を経由して印刷を実行させることができるようになっている。
【０００３】
このようなネットワークについて図７を使って説明する。図７は、従来の画像処理システムの概略を表す構成ブロック図である。従来の画像処理システムは、図７に示すように、画像処理装置としてのプリンタ１と、ゲートウエイ装置２と、無線端末３と、無線通信基地局４とから主に構成され、プリンタ１と、ゲートウエイ装置２とはネットワーク５を介して相互に接続されており、ゲートウエイ装置２と、無線通信基地局４とは、公衆電話回線網（ＰＳＴＮ）やＩＳＤＮ等の電話回線を介して接続されている。本来ならば、ネットワーク５にはより多くのコンピュータや、そのほかの装置が接続されているのが全体の構成であるが、ここでは説明のため図示を省略している。
【０００４】
以下、これらの各部について具体的に説明する。プリンタ１は、ネットワーク５を介して共有されているプリンタであり、ネットワーク５を介して受信した印刷の要求の指示に応じて、指定された文書の印刷を行う。具体的にプリンタ１は、無線端末３からゲートウエイ装置２を介してPostScript（商標）などのページ記述言語（ＰＤＬ）で表記された文書の指示を受信し、当該文書を処理して画像を形成し、形成した画像を印刷する。
【０００５】
ゲートウエイ装置２は、電話回線を介して受信した印刷の要求をネットワーク５を介してプリンタ１に送信する。このゲートウエイ装置２は、例えばダイアルアップ接続されるコンピュータである。無線端末３は、例えばＰＨＳ等の無線通信機器に接続された携帯型のコンピュータであり、無線通信により、プリンタ１に印刷の要求を送信する。無線通信基地局４は、無線端末３と無線にて情報の送受を行い、当該送受した情報を電話回線を介してゲートウエイ装置２と授受する。
【０００６】
無線端末３の利用者は、無線端末３からプリンタ１に対して印刷を要求する指示を出力する。すると、無線通信基地局４が無線端末３から当該要求の指示を無線にて受信して、電話回線を介してゲートウエイ装置２に出力する。そしてゲートウエイ装置２が当該指示をネットワーク５を介してプリンタ１に出力し、プリンタ１が当該要求の指示を受信して印刷を行う。
【０００７】
【発明が解決しようとする課題】
しかしながら、上記従来の画像処理システムでは、プリンタが印刷の要求の指示を受けた時点で直ちに印刷を行ってしまうため、例えば遠隔地にいる利用者の要求により出力された印刷物は、当該利用者がプリンタのところへやってくるまで、プリンタのトレイに残ったままになり、印刷物が他人に見られてしまうというセキュリティ上の問題点があった。
【０００８】
そこで、パスワードを設定し、当該パスワードの入力を受けるまではプリンタが印刷物を出力しない技術が考えられているが、この場合にはプリンタに対して必ずパスワードの入力が必要になり、操作が複雑で利便性が低いという問題点があった。
【０００９】
本発明は上記実情に鑑みて為されたもので、簡便な操作でセキュリティを向上できる印刷装置を提供することを目的とする。
【００１０】
【課題を解決するための手段】
上記従来例の問題点を解決するための本発明は、印刷装置において、印刷の対象となるデータとともに印刷の要求を受信する受信手段と、当該受信手段により受信された印刷の要求に係る印刷物を受け取るべき利用者の位置を検知する検知手段と、当該検知手段により検知された利用者の位置に基づいて、前記利用者が自己の近辺にいるか否かを予め定められた判断基準に従って判断し、近辺にいないと判断された場合には印刷を保留し、近辺にいると判断された場合には印刷を開始する指示を出力する制御手段と、当該制御手段による印刷を開始する指示により、前記受信手段により受信されたデータに基づく画像の印刷を開始する印刷手段と、を有することを特徴としている。
【００１１】
このように、利用者の位置に基づいて印刷を開始することで、利用者が近辺にいないときには印刷を保留し、利用者が近づいてくると印刷を開始することで、印刷物を他人が見ることがなく、セキュリティを向上できる。
【００１２】
また、前記制御手段は、前記利用者の位置と自己の位置との相対距離を算出し、算出された相対距離が予め設定された範囲内か否かを判断し、範囲内でないと判断された場合には印刷を保留し、範囲内であると判断された場合には印刷を開始する指示を出力することが好適である。
【００１５】
また、前記制御手段は、前記印刷の対象となるデータとして画像の基となるデータを受け、印刷を保留する場合には、前記データに基づいて画像を事前に形成して保持し、前記印刷手段は、前記印刷を開始する指示を受けると、前記保持されている画像を印刷することが好適である。
【００１６】
このようにすれば、利用者が近づいてきたときに直ちに印刷を実行でき、利用者が迅速に印刷物を目にすることができるので、利便性を向上できる。
【００１８】
さらに上記従来例の問題点を解決するための本発明は、印刷システムにおいて、利用者に所持される情報端末と、印刷装置とを含む印刷システムであって、前記情報端末は、印刷の対象となるデータとともに印刷の要求を通信回線経由で前記印刷装置に送信する手段を具備し、前記印刷装置は、前記情報端末から印刷の対象となるデータとともに印刷の要求を受信する受信手段と、当該受信手段により受信された要求の発行元の情報端末の位置を検知する検知手段と、当該検知手段の検知結果に基づいて、前記要求の発行元の情報端末が自己の近辺にいるか否かを予め定められた判断基準に従って判断し、近辺にいないと判断された場合には印刷を保留し、近辺にいると判断された場合には印刷を開始する指示を出力する制御手段と、当該制御手段による印刷を開始する指示により、前記受信手段により受信されたデータに基づく画像の印刷を開始する印刷手段と、を具備することを特徴としている。
【００１９】
このように、情報端末の位置に基づいて印刷を開始することで、情報端末が自己の近辺にいないときには印刷を保留し、情報端末を所持した利用者が近づいてくると印刷を開始することで、利用者は情報端末を所持していれば、特別な操作なしに、セキュリティを向上できる。
【００２０】
またここで、前記情報端末は、定期的に自己の位置を報知し、前記印刷装置は、前記情報端末による報知に基づいて前記情報端末の位置を検知することが好適である。
また、前記情報端末がさらに、指示により即時印刷可能属性を前記印刷装置に送信する手段を具備し、前記印刷装置は、前記情報端末から即時印刷可能属性を受信すると、直ちに画像の印刷を開始することが好適である。
【００２１】
また、情報端末は自己の現在位置をＧＰＳにより検知することが好ましい。
【００２４】
【発明の実施の形態】
本発明の実施の形態について図面を参照しながら説明する。本発明の実施の形態に係る画像処理装置（具体的には印刷装置である）を含む画像処理システム（具体的には印刷システムである）は、図１に示すように、プリンタ１０と、ゲートウエイ装置２と、無線端末３０と、無線通信基地局４とから基本的に構成されている。ここでプリンタ１０とゲートウエイ装置２とは、ネットワーク５を介して相互に接続されており、ゲートウエイ装置２と、無線通信基地局４とは公衆電話回線網やＩＳＤＮ等の電話回線を介して接続されている。
【００２５】
プリンタ１０は、図１に示すように、ＣＰＵ１１と、ＲＯＭ１２と、ＲＡＭ１３と、ハードディスク１４と、ネットワークインタフェース１５と、プリンタエンジン１６とから構成され、各部は相互にバス接続されている。無線端末３０は、図１に示すように、ＣＰＵ３１と、ＲＯＭ３２と、ＲＡＭ３３と、ハードディスク３４と、ＰＨＳ部３５と、ＧＰＳ３６とから基本的に構成され、各部は相互にバス接続されている。本来ならば、ネットワーク５にはさらに多くのコンピュータや周辺機器が接続され、電話回線には種々の電話装置が接続されているのが全体の構成であるが、ここでは説明のため、省略して図示している。
【００２６】
以下、各部を具体的に説明するが、ゲートウエイ装置２と、無線通信基地局４とは、図７に示した従来のものと同様のものであるので、説明を省略する。プリンタ１０のＣＰＵ１１は、ＲＯＭ１２又はハードディスク１４に格納されている処理プログラムに従って、各部を制御する。このＣＰＵ１１の動作については後述する。ＲＯＭ１２は、ＣＰＵ１１によって処理されるプログラムが格納されている。ＲＡＭ１３は、入力された印刷の要求を印刷キューとして保持する。また、このＲＡＭ１３は、ＣＰＵ１１のワークメモリとして動作して、画像の基となるＰＤＬ等に基づいて描画された画像を保持する。さらにＲＡＭ１３は、ネットワークインタフェース１５を介して授受される情報を一時的に記憶するバッファメモリとしても動作する。ハードディスク１４は、ＣＰＵ１１によって処理されるプログラムのほか、プリンタ１０の設置場所の緯度、経度、高度を含む種々のパラメータを格納している。ネットワークインタフェース１５は、ネットワーク５を介して他の装置との間で情報の授受を行う。プリンタエンジン１６は、ＣＰＵ１１からの指示に基づいて用紙に印刷を行う。
【００２７】
無線端末３０のＣＰＵ３１は、ＲＯＭ３２やハードディスク３４に格納されている処理プログラムに従って処理を行う。ＣＰＵ３１は、印刷の要求を印刷の対象となるデータとともにプリンタ１０に送信する。また、このＣＰＵ３１は、自己の位置をＧＰＳ３６により検知し、位置情報として受付ＩＤとともにプリンタ１０に送信する。このＣＰＵ３１の具体的な動作の内容については後述する。ＲＯＭ３２は、ＣＰＵ３１によって処理されるプログラムを格納している。ＲＡＭ３３は、ＣＰＵ３１のワークメモリとして動作する。ハードディスク３４は、ＣＰＵ３１によって処理されるプログラムや種々のパラメータを格納している。ＰＨＳ部３５は、ＣＰＵ３１からの指示に基づいて情報を無線にて無線通信基地局４との間で送受する。尚、このＰＨＳ部３５は、一般的なＰＨＳと同様に多くの無線通信基地局４との間でハンドオフを行いながらセル間を移動するものであるが、ここでは簡単のため一つの無線通信基地局４との間で通信を行う場合について図示している。ＧＰＳ３６は、ＧＰＳ衛星からの信号に基づいて現在位置を緯度、経度、高度のパラメータで出力する。
【００２８】
ここで、プリンタ１０のＣＰＵ１１が行う処理について図２を参照しつつ説明する。ＣＰＵ１１は、ネットワークを介して印刷の要求を受信すると、受付した各印刷要求を識別する番号としての受付ＩＤを付して印刷の対象となるデータをＲＡＭ１３に印刷キューとして保持し、ネットワークを介して印刷の要求を受け付けたことを表すデータと、当該受付ＩＤとを返信する。また、このＣＰＵ１１は、ネットワークを介して受付ＩＤとともに利用者の現在位置を受信して、印刷の対象となるデータと対応づけて位置情報として格納している。
【００２９】
さらにＣＰＵ１１は、図２に示す処理を行う。図２は、ＣＰＵ１１の処理を表すフローチャート図である。ＣＰＵ１１は、ネットワークを介して要求を受信したか否かを調べ（Ｓ１）、要求があれば（Ｙｅｓならば）、当該要求とともに即時印刷の指示が受信されたか否かを調べる（Ｓ２）。この処理Ｓ２において即時印刷の指示があったならば（Ｙｅｓならば）、当該要求に係る印刷の対象となるデータを取得して画像をＲＡＭ１３に形成し、プリンタエンジン１６に出力して印刷を行い（Ｓ３）、処理Ｓ１に戻って処理を続ける。一方、処理Ｓ２において即時印刷の指示がなければ、受付ＩＤを生成して、要求の発行元に対して受付ＩＤを送信する（Ｓ４）。そして、要求の発行元の位置情報を待機し（Ｓ５）、受付ＩＤとともに位置情報を受信すると、さらにハードディスク１４から自己の位置を取得して（Ｓ６）、これらの位置の差から要求の発行元と自己との相対距離を算出する（Ｓ７）。そして、この算出した距離が予め設定された範囲内か否かを調べ（Ｓ８）、範囲内ならば（Ｙｅｓ）ならば、処理Ｓ３に移行して印刷を行い、処理を終了する。
【００３０】
また、処理Ｓ８において、算出した相対距離が範囲内でなければ（Ｎｏならば）、受付ＩＤとともに印刷の対象となるデータを印刷キューとして、処理Ｓ６で取得した位置情報と対応づけてハードディスク１４に格納する（Ｓ９）。尚、この処理Ｓ９において、印刷の対象となるデータがＰＤＬ等の画像の基となるデータであれば、このデータに基づいて画像を予め形成しておき、印刷キューとして格納しておくことが好ましい。このようにすれば、後に印刷を開始する指示の入力を受けたときに直ちに印刷を開始できるので、印刷物を迅速に手にすることができる。
【００３１】
そして、ＣＰＵ１１は、処理Ｓ１から繰り返して処理を行う。また、処理Ｓ１において、印刷の要求がなければ（Ｎｏであれば）、ＲＡＭ１３から受付ＩＤを取得して（Ｓ１０）、この受付ＩＤの印刷キューに対応する位置情報を取得し（Ｓ１１）、さらにハードディスク１４から自己の位置を取得して（Ｓ１２）、これらの位置の差から要求の発行元と自己との相対距離を算出する（Ｓ１３）。そして、この算出した距離が予め設定されている範囲内か否かを調べ（Ｓ１４）、範囲内ならば（Ｙｅｓ）ならば、処理Ｓ３に移行して（Ａ）当該印刷キューに係る印刷の対象となるデータの印刷を行い、処理を終了する。また、処理Ｓ１４において、範囲内でなければ（Ｎｏならば）、処理Ｓ１に戻って処理を続ける。
【００３２】
次に、無線端末３０のＣＰＵ３１の処理について、図３を参照しつつ説明する。無線端末３０のＣＰＵ３１は主に、印刷の要求をする際に自己の現在位置を報知する処理と、定期的に自己の現在位置を報知する処理との２つの処理を行う。すなわち、ＣＰＵ３１は、図３に示すように、利用者から印刷の指示の入力を受けたか否かを調べ（Ｓ２１）、指示の入力があれば（Ｙｅｓならば）、ＧＰＳ３６により、自己の現在位置を検知して（Ｓ２２）、印刷の対象となるデータと当該自己の現在位置とを印刷の要求として、どのプリンタで印刷するかを表す情報（印刷先の情報）とともにＰＨＳ部３５に出力する（Ｓ２３）。そしてＣＰＵ３１は、ＰＨＳ部３５を介して、印刷の要求に対する応答として受付ＩＤを受信するまで待機し（Ｓ２４）、受付ＩＤを受信すると、ＲＡＭ３３に受付ＩＤを格納して（Ｓ２５）、処理Ｓ２１に戻って処理を続ける。
【００３３】
一方、ＣＰＵ３１は、処理Ｓ２１において、指示の入力がなければ（Ｎｏならば）、定期的に自己の現在位置を報知する処理として、図示しないタイマにて所定時間を計時して（Ｓ２６）、所定時間の計時が終了すると、ＧＰＳ３６により、自己の現在位置を検知し（Ｓ２７）、処理Ｓ２４で受信した受付ＩＤをＲＡＭ３３から読み出して、自己の現在位置と当該受付ＩＤとを送信先としての印刷先の情報とともにＰＨＳ部３５に出力し（Ｓ２８）、処理Ｓ２１に戻って処理を続ける。
【００３４】
尚、ここで無線端末３０はＰＨＳにより無線通信を行っているが、そのほかの携帯電話サービスであっても構わない。
【００３５】
以上で、各部について具体的に説明したので、以下本実施の形態に係る画像処理システムの動作について図４を用いて説明する。無線端末３０が利用者から印刷の指示の入力を受けて、現在位置をＧＰＳ３６にて取得し、印刷の対象となる文書データと自己の現在位置を表す位置情報と、印刷先のプリンタ１０の情報とをＰＨＳ部３５に出力すると、ＰＨＳ部３５がこれらを無線にてゲートウエイ装置２に送信し（Ａ）、ゲートウエイ装置２がこれを受信して、印刷先として指定されたプリンタ１０に対して印刷の対象となる文書データと無線端末３０の現在位置とを送信する（Ｂ）。そして、画像処理装置としてのプリンタ１０がこれらのデータを受信して、即時印刷の指示があったか否かを調べ、即時印刷の指示がなければプリンタ１０のＣＰＵ１１が自己と無線端末３０との相対位置を演算してその距離を特定し、特定した距離が予め設定された距離以下であれば、直ちに印刷を開始する。またここで、予め設定された距離以下でなければ受付ＩＤを生成して、この受付ＩＤをゲートウエイ装置２を介して無線端末３０に返信する（Ｃ）。ゲートウエイ装置２は、この受付ＩＤを受信して、無線端末３０に無線にて中継して送信する（Ｄ）。すると、無線端末３０がこのデータを受信して、受付ＩＤをＲＡＭ３３に保持し、一定の時間が経過するのを待機して、ＧＰＳ３６により現在位置を取得して当該現在位置を現す位置情報を受付ＩＤと印刷先の情報とともにＰＨＳ部３５に出力する（Ｅ）。そして、ＰＨＳ部３５を介してこれらのデータを受信したゲートウエイ装置２がその位置情報と受付ＩＤとをプリンタ１０に送信し（Ｆ）、プリンタ１０がこのデータを受信して位置情報に基づいて距離を特定し、一定の距離以下であれば印刷を行う。
【００３６】
尚、印刷が完了した後、受付ＩＤを含む印刷を完了したことを報知する情報をゲートウエイ装置２を介して無線端末３０に送信し（Ｇ，Ｈ）、無線端末３０がこのデータを受信して印刷が完了したことを検知し、それにより定期的に現在位置を報知する処理を停止することが好ましい。
【００３７】
また、無線端末３０とプリンタ１０との距離が近接している場合には、即時印刷の指示を印刷の要求とともに送信しても構わない。このようにすれば、プリンタ１０のＣＰＵ１１により即時印刷の指示が出力され、相対距離の演算をすることなく直ちに印刷がされることになる（Ｐ）。
【００３８】
さらに、プリンタ１０は、受付ＩＤごとに印刷の状態（保留されているか又は印刷が開始されているか等）や、印刷対象のデータとしての印刷文書名、印刷の条件等を図５に示すようなテーブルとしてＲＡＭ１３で管理し、ゲートウエイ装置２を介して無線端末３０との間で印刷の状態を送受してもよい。このようにすれば、無線端末３０からプリンタ１０での文書の印刷状況を容易に把握できる。
【００３９】
さらに、無線端末３０は印刷先としてのプリンタの種別（装置名やネットワークのアドレス等）と印刷場所の属性として当該プリンタへの印刷要求が許否や、上述した本発明の相対距離による印刷の保留を行うプリンタか否か等を対応づけて図６に示すようなテーブルとしてＲＡＭ３３に格納しておくことが好ましい。尚、無線端末３０は、このようなテーブルを保持しなくても、ネットワーク上にあるディレクトリサービス（ＬＤＡＰ）等を提供するサーバから上記の印刷場所の属性を取得しても構わない。
【００４０】
ここで、上記の無線端末３０は、ＧＰＳ３６によって自己の現在位置を取得していたが、無線端末３０のＰＨＳ部３５がどの無線通信基地局４と通信を行っているかによって、その現在位置を取得しても構わない。この場合には、無線端末３０が自己の現在位置を報知しなくても、公知の方法によりプリンタ１０が直接、無線端末３０の現在位置を取得してもよい。
【００４１】
さらに、印刷の要求元がＰＨＳ等による無線通信を介することなく、ネットワークを経由してプリンタ１０に接続されているときには、印刷の要求元としてのコンピュータの接続ポイントからその位置を検出してもよい。この場合には印刷の要求元からのデータが到来した経路をルータの情報から検出して行う。
【００４２】
上記の説明では、画像処理装置がプリンタである場合について説明したが、画像処理装置としてはプリンタのほか、ＦＡＸであることも考えられる。
【００４３】
さらに、例えば印刷を要求する利用者と、処理された画像を受け取る利用者とは別人であっても構わない。具体的にある特定の利用者に対して親展でＦＡＸを送信したい場合には、画像処理装置としてのＦＡＸは、印刷の要求元からＦＡＸ画像のデータと、親展で送信したい相手のＰＨＳの番号とを受信し、受信したＰＨＳの番号から当該ＰＨＳの現在位置を検知し、自己との相対距離を調べて、それが予め設定された距離以下であればＦＡＸの画像を出力することになる。
【００４４】
さらに、上述した画像処理装置は、自己と利用者との相対距離により、それが近接していれば印刷を開始することとしているが、相対距離が大きいときには印刷を行うことなく処理を終了してもよい。このようにすれば、誤って送信された画像を印刷出力することがなく、セキュリティを向上できる。
【００４５】
【発明の効果】
本発明によれば、印刷物を受け取るべき利用者の位置を検知し、検知された利用者の位置に基づいて、当該利用者が自己の近辺にいるか否かを判断し、近辺にいないと判断された場合には印刷を保留し、近辺にいると判断された場合には印刷を開始する印刷装置及び印刷システムとしているので、利用者は、特別な操作をしなくても、印刷物を他人に見られることを防止でき、セキュリティを向上できる。
【００４６】
また、本発明によれば、画像の形成を事前に行っておき、利用者と印刷装置との相対位置が所定の範囲になったときに形成した画像を印刷する印刷装置及び印刷システムとしているので、利用者が印刷装置の近傍に来たときには迅速に印刷物を取得できる。
【図面の簡単な説明】
【図１】  本発明の実施の形態に係る画像処理システムの構成ブロック図である。
【図２】  本発明の実施の形態に係るプリンタ１０のＣＰＵ１１の処理を表すフローチャート図である。
【図３】  本発明の実施の形態に係る無線端末３０のＣＰＵ３１の処理を表すフローチャート図である。
【図４】  本発明の実施の形態に係る画像処理システムの動作を表す動作フロー図である。
【図５】  印刷状態を保持するテーブルの一例を表す説明図である。
【図６】  印刷場所の属性を保持するテーブルの一例を表す説明図である。
【図７】  従来の画像処理システムの構成ブロック図である。
【符号の説明】
１，１０  プリンタ、２  ゲートウエイ装置、３，３０  無線端末、４  無線通信基地局、５  ネットワーク、１１，３１  ＣＰＵ、１２，３２  ＲＯＭ、１３，３３  ＲＡＭ、１４，３４  ハードディスク、１５  ネットワークインタフェース、１６  プリンタエンジン、３５  ＰＨＳ部、３６  ＧＰＳ。
【図１】
0003726583.tif 000002
【図２】
0003726583.tif 000003
【図３】
0003726583.tif 000004
【図４】
0003726583.tif 000005
【図５】
0003726583.tif 000006
【図６】
0003726583.tif 000007
【図７】
0003726583.tif 000008